(57)【要約】【課題】撮像データの送信漏れを抑制することを可能とする通信システム及び撮像機器を提供する。【解決手段】携帯端末２００と近距離無線を介して接続可能な撮像機器１００が、被写体を撮像するカメラ部１３０を備え、カメラ部１３０による被写体の撮像時に、撮像機器１００からの距離が一定の範囲内に位置する携帯端末２００に向けて、携帯端末２００の宛先情報の送信を要求する宛先情報要求を送信し、宛先情報要求に応じて宛先情報を送信した携帯端末２００に対して、カメラ部１３０によって撮像された被写体のデータである撮像データを送信する。【選択図】図２
2008060948.tif 000002
【特許請求の範囲】
【請求項１】
被写体を撮像する撮像部を有する撮像機器と、前記撮像機器と近距離無線を介して接続可能な他の機器とを含む通信システムであって、
前記撮像機器は、
前記撮像部による前記被写体の撮像時に、前記撮像機器からの距離が一定の範囲内に位置する前記他の機器に向けて、前記他の機器の宛先情報の送信を要求する宛先情報要求を送信する宛先情報要求送信部と、
前記宛先情報要求に応じて前記宛先情報を送信した他の機器に対して、前記撮像部によって撮像された前記被写体のデータである撮像データを送信する撮像データ送信部とを有しており、
前記他の機器は、
前記宛先情報要求に応じて、前記宛先情報を前記撮像機器に送信する宛先情報送信部と、
前記撮像機器から前記撮像データを受信する撮像データ受信部とを有することを特徴とする通信システム。
【請求項２】
前記撮像機器は、
前記近距離無線に用いられ、指向性を有する指向性アンテナと、
前記撮像部による前記被写体の撮像時に、前記指向性アンテナの指向方向を前記撮像部の向きに揃える指向性制御部とを有することを特徴とする請求項１に記載の通信システム。
【請求項３】
前記宛先情報送信部は、前記被写体の撮像前において、前記宛先情報に加えて、前記撮像部による前記被写体の撮像モードを指定するモード指定情報を前記撮像機器に送信することを特徴とする請求項１に記載の通信システム。
【請求項４】
前記撮像部は、前記モード指定情報によって指定される前記撮像モードが複数種類である場合に、複数種類の前記撮像モードに従って前記被写体を撮像することを特徴とする請求項３に記載の通信システム。
【請求項５】
前記撮像機器は、前記撮像データを送信するか否かを所定の判定基準に従って判定する判定部をさらに有し、
前記撮像データ送信部は、前記撮像データを送信しないと判定された場合に、前記撮像データに代えて、前記撮像データのログ情報を送信することを特徴とする請求項１に記載の通信システム。
【請求項６】
前記撮像機器は、前記他の機器が正当であるか否かを認証する認証部をさらに有しており、
前記認証部は、前記他の機器が正当であると認証されてから前記撮像機器と前記他の機器とが所定距離以上離れた場合に、又は、前記他の機器が正当であると認証されてから所定時間が経過した場合に、前記他の機器が正当であるか否かを再認証する必要があると判定することを特徴とする請求項１に記載の通信システム。
【請求項７】
他の機器と近距離無線を介して接続可能な撮像機器であって、
被写体を撮像する撮像部と、
前記撮像部による前記被写体の撮像時に、前記撮像機器からの距離が一定の範囲内に位置する前記他の機器に向けて、前記他の機器の宛先情報の送信を要求する宛先情報要求を送信する宛先情報要求送信部と、
前記宛先情報要求に応じて前記宛先情報を送信した他の機器に対して、前記撮像部によって撮像された前記被写体のデータである撮像データを送信する撮像データ送信部とを備えることを特徴とする撮像機器。
【発明の詳細な説明】
【技術分野】
【０００１】
本発明は、他の機器と近距離無線を介して接続可能な撮像機器、及び、他の機器と撮像機器とを含む通信システムに関する。
【背景技術】
【０００２】
従来、携帯端末やデジタルカメラなどのように、被写体を撮像する撮像部（以下、カメラ）を有しており、カメラによって撮像された被写体のデータ（以下、撮像データ）を記憶可能な撮像機器が一般的に広く知られている。
【０００３】
また、ＩｒＤＡやＢｕｌｕｅｔｏｏｔｈなどに代表される近距離無線通信の進展に伴って、近距離無線通信機能を有する撮像機器も提案されている（例えば、特許文献１）。
【０００４】
このような撮像機器に記憶された撮像データは、近距離無線を介して他の機器に送信することが可能である。
【特許文献１】特開２００２−３０５７１７号公報（、図３など）
【発明の開示】
【発明が解決しようとする課題】
【０００５】
ここで、上述した撮像機器に記憶された撮像データを送信するためには、撮像機器は、撮像データの宛先となる他の機器の宛先情報を取得した上で、撮像データを改めて他の機器に送信する必要がある。
【０００６】
従って、ユーザは、被写体の撮像によって撮像データが取得されてすぐに撮像データを送信せずに、撮像データを後で送信する旨の約束をするケースが考えられる。このようなケースでは、撮像データを後で送信する旨の約束をユーザが忘れてしまって、撮像データの送信漏れが生じる場合があった。特に、集合写真などを撮像した際に、多数の人に撮像データを送信する旨の約束をするケースでは、撮像データの送信漏れが生じやすかった。
【０００７】
そこで、本発明は、上述した課題を解決するためになされたものであり、撮像データの送信漏れを抑制することを可能とする通信システム及び撮像機器を提供することを目的とする。
【課題を解決するための手段】
【０００８】
本発明の一の特徴は、被写体を撮像する撮像部（カメラ部１３０）を有する撮像機器（撮像機器１００）と、前記撮像機器と近距離無線を介して接続可能な他の機器（携帯端末２００）とを含む通信システムにおいて、前記撮像機器が、前記撮像部による前記被写体の撮像時に、前記撮像機器からの距離が一定の範囲内に位置する前記他の機器に向けて、前記他の機器の宛先情報の送信を要求する宛先情報要求を送信する宛先情報要求送信部（制御部１７０、無線Ｉ／Ｆ１２０）と、前記宛先情報要求に応じて前記宛先情報を送信した他の機器に対して、前記撮像部によって撮像された前記被写体のデータである撮像データを送信する撮像データ送信部（制御部１７０、無線Ｉ／Ｆ１２０）とを有しており、前記他の機器が、前記宛先情報要求に応じて、前記宛先情報を前記撮像機器に送信する宛先情報送信部（制御部２６０、無線Ｉ／Ｆ２２０）と、前記撮像機器から前記撮像データを受信する撮像データ受信部（制御部２６０、無線Ｉ／Ｆ２２０）とを有することを要旨とする。
【０００９】
かかる特徴によれば、撮像機器が、撮像部による被写体の撮像時に宛先情報要求を送信し、宛先情報要求に応じて宛先情報を送信した他の機器に撮像データを送信するため、撮像データの送信漏れを抑制することができる。
【００１０】
また、一般的に、撮像者と被写体との距離が離れていないことに着目して、撮像機器が、撮像機器からの距離が一定の範囲内に位置する他の機器にだけ、宛先情報要求を送信するため、撮像データが無関係な人に送信される可能性を軽減することができる。
【００１１】
本発明の一の特徴は、本発明の上述した特徴において、前記撮像機器が、前記近距離無線に用いられ、指向性を有する指向性アンテナ（アンテナ１１０）と、前記撮像部による前記被写体の撮像時に、前記指向性アンテナの指向方向を前記撮像部の向きに揃える指向性制御部（指向性制御部１８０）とを有することを要旨とする。
【００１２】
本発明の一の特徴は、本発明の上述した特徴において、前記宛先情報送信部が、前記被写体の撮像前において、前記宛先情報に加えて、前記他の機器に設定された前記撮像部による前記被写体の撮像モードを指定するモード指定情報を前記撮像機器に送信することを要旨とする。
【００１３】
本発明の一の特徴は、本発明の上述した特徴において、前記撮像部が、前記モード指定情報によって指定される前記撮像モードが複数種類である場合に、複数種類の前記撮像モードに従って前記被写体を撮像することを要旨とする。
【００１４】
本発明の一の特徴は、本発明の上述した特徴において、前記撮像機器が、前記撮像データを送信するか否かを所定の判定基準に従って判定する判定部（制御部１７０）をさらに有し、前記撮像データ送信部が、前記撮像データを送信しないと判定された場合に、前記撮像データに代えて、前記撮像データのログ情報を送信することを要旨とする。
【００１５】
本発明の一の特徴は、本発明の上述した特徴において、前記撮像機器が、前記他の機器が正当であるか否かを認証する認証部（制御部１７０）をさらに有しており、前記認証部が、前記他の機器が正当であると認証されてから前記撮像機器と前記他の機器とが所定距離以上離れた場合に、又は、前記他の機器が正当であると認証されてから所定時間が経過した場合に、前記他の機器が正当であるか否かを再認証する必要があると判定することを要旨とする。
【００１６】
本発明の一の特徴は、他の機器と近距離無線を介して接続可能な撮像機器（撮像機器１００）が、被写体を撮像する撮像部（カメラ部１３０）と、前記撮像部による前記被写体の撮像時に、前記撮像機器からの距離が一定の範囲内に位置する前記他の機器に向けて、前記他の機器の宛先情報の送信を要求する宛先情報要求を送信する宛先情報要求送信部（制御部１７０、無線Ｉ／Ｆ１２０）と、前記宛先情報要求に応じて前記宛先情報を送信した他の機器に対して、前記撮像部によって撮像された前記被写体のデータである撮像データを送信する撮像データ送信部（制御部１７０、無線Ｉ／Ｆ１２０）とを備えることを要旨とする。
【発明の効果】
【００１７】
本発明によれば、撮像データの送信漏れを抑制することを可能とする通信システム及び撮像機器を提供することができる。
【発明を実施するための最良の形態】
【００１８】
以下において、本発明の実施形態に係る通信システムについて、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
また、本発明の実施形態では、通信システムは、被写体を撮像可能な撮像機器と、撮像機器と近距離無線を介して接続可能な携帯端末とによって構成される。
【００２１】
［第１実施形態］
（通信システムの構成）
以下において、本発明の第１実施形態に係る通信システムの構成について、図面を参照しながら説明する。図１は、本発明の第１実施形態に係る通信システムの構成を示す図である。
【００２２】
図１に示すように、通信システムは、複数のユーザ（ユーザＡ〜ユーザＤ）が所持する機器によって構成される。具体的には、ユーザＡは、被写体を撮像可能な撮像機器１００を所持しており、ユーザＢ〜ユーザＤは、撮像機器１００と近距離無線を介して接続可能な携帯端末２００（携帯端末２００ａ〜携帯端末２００ｃ）をそれぞれ所持している。なお、近距離無線とは、例えば、ＩｒＤＡやＢｌｕｅｔｏｏｔｈなどの無線方式に従って一定の範囲を上限として設定される通信経路である。近距離無線は、撮像機器１００が被写体を撮像するために十分な範囲をカバー可能であることが好ましい。
【００２３】
以下においては、ユーザＡが撮像機器１００によってユーザＢ〜ユーザＤを撮像する場合を例に挙げて説明する。すなわち、ユーザＢ〜ユーザＤは被写体である。また、携帯端末２００ａ〜携帯端末２００ｃは同様の構成を有しているため、必要に応じてこれらを総称して携帯端末２００と称する。
【００２４】
（撮像機器の構成）
以下において、本発明の第１実施形態に係る撮像機器の構成について、図面を参照しながら説明する。図２は、本発明の第１実施形態に係る撮像機器１００の構成を示すブロック図である。
【００２５】
図２に示すように、撮像機器１００は、アンテナ１１０と、無線Ｉ／Ｆ１２０と、カメラ部１３０と、表示部１４０と、記憶部１５０と、入力Ｉ／Ｆ１６０と、制御部１７０とを有する。
【００２６】
アンテナ１１０は、撮像機器１００と携帯端末２００との間で近距離無線通信を行う。具体的には、アンテナ１１０は、携帯端末２００から信号を受信する機能、携帯端末２００に信号を送信する機能を有する。
【００２７】
無線Ｉ／Ｆ１２０は、近距離無線通信に必要な機能を有するインターフェースである。例えば、無線Ｉ／Ｆ１２０は、ＩｒＤＡモジュールやＢｌｕｅｔｏｏｔｈモジュールを有する。
【００２８】
カメラ部１３０は、被写体（本実施形態では、ユーザＢ〜ユーザＤなど）を撮像する。例えば、カメラ部１３０は、ＣＣＤやＣ−ＭＯＳセンサなどを有する。
【００２９】
表示部１４０は、撮像機器１００の動作に必要な各種情報を表示する。例えば、表示部１４０は、カメラ部１３０によって撮像された被写体の画像を表示する。また、表示部１４０は、後述する入力Ｉ／Ｆ１６０が受け付ける入力の結果を表示する。
【００３０】
記憶部１５０は、撮像機器１００の動作に必要なプログラムなどを記憶する。また、記憶部１５０は、カメラ部１３０によって撮像された被写体の撮像データを記憶してもよい。
【００３１】
入力Ｉ／Ｆ１６０は、ユーザが操作するボタンなどによって構成されており、撮像機器１００への入力を受け付ける。例えば、入力Ｉ／Ｆ１６０は、カメラ部１３０による被写体の撮像の決定を指示する入力を受け付ける。
【００３２】
制御部１７０は、記憶部１５０に記憶されたプログラムなどに従って、撮像機器１００の動作を制御する。
【００３３】
具体的には、制御部１７０は、カメラ部１３０による被写体の撮像が決定されたときに、撮像機器１００からの距離が一定範囲内に位置する携帯端末２００の宛先情報の送信を要求する宛先情報要求を生成する。続いて、制御部１７０は、ブロードキャスト（又は、マルチキャスト）による宛先情報要求の送信を無線Ｉ／Ｆ１２０に指示する。ここで、一定範囲は、無線Ｉ／Ｆ１２０が有する近距離無線通信機能の種類やアンテナ１１０の能力に従って定義される。
【００３４】
また、制御部１７０は、宛先情報要求に応じて宛先情報を送信した携帯端末２００に対して、カメラ部１３０によって撮像された被写体のデータである撮像データを送信することを無線Ｉ／Ｆ１２０に指示する。なお、撮像データは、携帯端末２００から受信した宛先情報を用いて送信される。
【００３５】
（携帯端末の構成）
以下において、本発明の第１実施形態に係る携帯端末の構成について、図面を参照しながら説明する。図３は、本発明の第１実施形態に係る携帯端末２００の構成を示すブロック図である。
【００３６】
図３に示すように、携帯端末２００は、アンテナ２１０と、無線Ｉ／Ｆ２２０と、表示部２３０と、記憶部２４０と、入力Ｉ／Ｆ２５０と、制御部２６０とを有する。
【００３７】
アンテナ２１０は、アンテナ１１０と同様に、撮像機器１００と携帯端末２００との間で近距離無線通信を行う。具体的には、アンテナ２１０は、撮像機器１００から信号を受信する機能、撮像機器１００に信号を送信する機能を有する。
【００３８】
無線Ｉ／Ｆ２２０は、無線Ｉ／Ｆ１２０と同様に、近距離無線通信に必要な機能を有するインターフェースである。例えば、無線Ｉ／Ｆ２２０は、ＩｒＤＡモジュールやＢｌｕｅｔｏｏｔｈモジュールを有する。
【００３９】
表示部２３０は、携帯端末２００の動作に必要な各種情報を表示する。例えば、表示部２３０は、後述する入力Ｉ／Ｆ２５０が受け付ける入力の結果を表示する。
【００４０】
記憶部２４０は、携帯端末２００の動作に必要なプログラムなどを記憶する。また、記憶部２４０は、携帯端末２００の宛先情報を記憶する。
【００４１】
入力Ｉ／Ｆ２５０は、ユーザが操作するボタンなどによって構成されており、携帯端末２００への入力を受け付ける。
【００４２】
制御部２６０は、記憶部２４０に記憶されたプログラムなどに従って、携帯端末２００の動作を制御する。
【００４３】
具体的には、制御部２６０は、撮像機器１００から宛先情報要求を受信した場合に、宛先情報要求に応じて、記憶部２４０に記憶された宛先情報を撮像機器１００に送信することを無線Ｉ／Ｆ２２０に指示する。
【００４４】
（通信システムの動作）
以下において、本発明の第１実施形態に係る通信システムの動作について、図面を参照しながら説明する。図４は、本発明の第１実施形態に係る通信システムの動作を示すシーケンス図である。なお、図４では、説明を簡略化するために、携帯端末２００ａ〜携帯端末２００ｃを携帯端末２００と総称していることに留意すべきである。
【００４５】
図４に示すように、ステップ１０において、撮像機器１００は、カメラ部１３０による被写体の撮像が決定を指示する入力を受け付ける。
【００４６】
ステップ２０において、撮像機器１００は、撮像機器１００からの距離が一定範囲内に位置する携帯端末２００に対して、携帯端末２００の宛先情報を要求する宛先情報要求を送信する。なお、一定範囲は、無線Ｉ／Ｆ１２０が有する近距離無線通信機能の種類やアンテナ１１０の能力に従って定義される。
【００４７】
ステップ３０において、携帯端末２００は、宛先情報要求に応じて、携帯端末２００の宛先情報を撮像機器１００に送信する。
【００４８】
ステップ４０において、撮像機器１００は、携帯端末２００を所持するユーザを撮像する。
【００４９】
ステップ５０において、撮像機器１００は、ステップ３０で受信した宛先情報を用いて、ステップ３０で宛先情報を送信した携帯端末２００に撮像データを送信する。
【００５０】
（作用及び効果）
本発明の第１実施形態に係る通信システムによれば、撮像機器１００が、カメラ部１３０による被写体の撮像時に宛先情報要求を送信し、宛先情報要求に応じて宛先情報を送信した携帯端末２００に撮像データを送信するため、撮像データの送信漏れを抑制することができる。
【００５１】
また、一般的に、撮像者と被写体との距離が離れていないことに着目して、撮像機器１００が、撮像機器１００からの距離が一定の範囲内に位置する携帯端末２００（被写体）にだけ、宛先情報要求を送信するため、撮像データが無関係な人に送信される可能性を軽減することができる。
【００５２】
［第２実施形態］
以下において、本発明の第２実施形態について、図面を参照しながら説明する。なお、以下においては、上述した第１実施形態と第２実施形態との相違点について主として説明する。
【００５３】
具体的には、上述した第１実施形態では、撮像機器１００のアンテナ１１０の指向性については特に触れていないが、第２実施形態では、アンテナ１１０は指向性を有するアンテナであり、撮像機器１００は、アンテナ１１０の指向性を制御する。
【００５４】
（撮像機器の構成）
以下において、本発明の第２実施形態に係る撮像機器の構成について、図面を参照しながら説明する。図５は、本発明の第２実施形態に係る撮像機器１００の構成を示すブロック図である。
【００５５】
図５に示すように、撮像機器１００は、図２に示した構成に加えて、指向性制御部１８０を有する。また、アンテナ１１０は指向性を有するアンテナである。
【００５６】
指向性制御部１８０は、アンテナ１１０の指向性を制御する。具体的には、指向性制御部１８０は、カメラ部１３０による被写体の撮像時に、アンテナ１１０の指向方向をカメラ部１３０の向きに揃える。すなわち、指向性制御部１８０は、アンテナ１１０が被写体に向けて指向するように、アンテナ１１０の指向性を制御する。
【００５７】
なお、第２実施形態では、カメラ部１３０による被写体の撮像時とは、撮像の決定を指示する入力が受け付けられてから、宛先情報要求が送信されるまでをいう。
【００５８】
（通信システムの動作）
以下において、本発明の第２実施形態に係る通信システムの動作について、図面を参照しながら説明する。図６は、本発明の第２実施形態に係る通信システムの動作を示すシーケンス図である。なお、図６では、上述した図４と同様の処理については、同様のステップ番号が付されていることに留意すべきである。
【００５９】
図６に示すように、ステップ１２において、撮像機器１００は、アンテナ１１０の指向性を制御する。具体的には、撮像機器１００は、カメラ部１３０による被写体の撮像時に、アンテナ１１０の指向方向をカメラ部１３０の向きに揃える。
【００６０】
（作用及び効果）
本発明の第２実施形態に係る通信システムによれば、カメラ部１３０の向きが被写体に向くことに着目して、撮像機器１００が、カメラ部１３０による被写体の撮像時に、アンテナ１１０の指向方向をカメラ部１３０の向きに揃えるため、撮像データが無関係な人に送信される可能性をさらに軽減することができる。
【００６１】
［第３実施形態］
以下において、本発明の第３実施形態について、図面を参照しながら説明する。なお、以下においては、上述した第１実施形態と第３実施形態との相違点について主として説明する。
【００６２】
具体的には、上述した第１実施形態では、撮像機器１００の撮像モードについては特に触れていないが、第３実施形態では、撮像機器１００は、複数種類の撮像モードで被写体を撮像可能である。
【００６３】
また、第３実施形態では、撮像機器１００は、撮像モードを指定するモード指定情報を宛先情報とともに携帯端末２００から受信する。
【００６４】
（撮像モードの一例）
以下において、本発明の第３実施形態に係る撮像モードの一例について、図面を参照しながら説明する。図７は、本発明の第３実施形態に係る撮像モードの一例を示す図である。
【００６５】
図７に示すように、撮像モードは、解像度を切り替えるモードと、エフェクトを切り替えるモードとを含む。具体的には、解像度を切り替えるモードは、高精細モードと、通常モードと、低精細モードとを含む。エフェクトを切り替えるモードは、通常モードと、美白モードと、セピアモードと、モノクロモードとを含む。
【００６６】
なお、解像度を切り替えるモード及びエフェクトを切り替えるモードは個別に指定することが可能である。
【００６７】
ここで、撮像機器１００は、撮像モード毎に被写体を個別に撮像するように構成されていてもよく、カメラ部１３０によって撮像された被写体の撮像データの画像処理を撮像モード毎に行うように構成されていてもよい。
【００６８】
（通信システムの動作）
以下において、本発明の第３実施形態に係る通信システムの動作について、図面を参照しながら説明する。図８は、本発明の第３実施形態に係る通信システムの動作を示すシーケンス図である。なお、図８では、上述した図４と同様の処理については、同様のステップ番号が付されていることに留意すべきである。
【００６９】
図８に示すように、ステップ３２において、携帯端末２００は、撮像モードを指定するモード指定情報を宛先情報とともに撮像機器１００に送信する。この場合において、携帯端末２００は、宛先情報要求を受信した場合に、撮像モードの指定を促す画像を表示部２３０上に表示した上で、表示部２３０上に表示された画像を参照してユーザが指定した撮像モードを指定するモード指定情報を生成する。
【００７０】
ステップ４２において、撮像機器１００は、カメラ部１３０によって撮像された被写体の撮像データの画像処理を撮像モード毎に行う。例えば、携帯端末２００ａから受信したモード指定情報が色白モードを指定する情報であり、携帯端末２００ａから受信したモード指定情報がセピアモードを指定する情報である場合には、色白モード及びセピアモードに従って撮像データの画像処理を行う。
【００７１】
ステップ５２において、撮像機器１００は、携帯端末２００によって指定された撮像モードに従って画像処理が行われた撮像データを、該当する撮像機器１００に送信する。例えば、携帯端末２００ａから受信したモード指定情報が色白モードを指定する情報であり、携帯端末２００ｂから受信したモード指定情報がセピアモードを指定する情報である場合には、色白モードに従って画像処理が行われた撮像データを携帯端末２００ａに送信するとともに、セピアモードに従って画像処理が行われた撮像データを携帯端末２００ｂに送信する。
【００７２】
なお、第３実施形態では、撮像機器１００が撮像データの画像処理を撮像モード毎に行うため、カメラ部１３０による被写体の撮像が１回で済む場合を例に挙げたが、これに限定されるものではない。具体的には、ステップ４０において、撮像機器１００は、撮像モード毎に被写体を撮像してもよい。例えば、携帯端末２００ａから受信したモード指定情報が色白モードを指定する情報であり、携帯端末２００ｂから受信したモード指定情報がセピアモードを指定する情報である場合には、撮像機器１００は、色白モード及びセピアモードに応じて、２回に分けて被写体を撮像してもよい。
【００７３】
また、１つの携帯端末２００が複数の撮像モードを指定してもよい。この場合にも、撮像機器１００は、複数回に分けて撮像処理を行う。
【００７４】
（作用及び効果）
本発明の第３実施形態に係る通信システムによれば、撮像機器１００が、携帯端末２００によって指定された撮像モードに応じて取得した撮像データを携帯端末２００に送信するため、携帯端末２００のユーザの満足度を高めることができる。
【００７５】
［第４実施形態］
以下において、本発明の第４実施形態について、図面を参照しながら説明する。なお、以下においては、上述した第１実施形態と第４実施形態との相違点について主として説明する。
【００７６】
具体的には、上述した第１実施形態では特に触れていないが、第４実施形態では、撮像機器１００は、撮像データを携帯端末２００に送信するか否かを判定する。また、撮像機器１００は、撮像データを送信しないと判定した場合には、撮像データのログ情報を携帯端末２００に送信する。
【００７７】
（通信システムの動作）
以下において、本発明の第４実施形態に係る通信システムの動作について、図面を参照しながら説明する。図９は、本発明の第４実施形態に係る通信システムの動作を示すシーケンス図である。なお、図９では、上述した図４と同様の処理については、同様のステップ番号が付されていることに留意すべきである。
【００７８】
図９に示すように、ステップ４４において、撮像機器１００の制御部１７０は、撮像データを送信するか否かを所定の判定基準に従って判定する。
【００７９】
なお、所定の判定基準とは、携帯端末２００のユーザが撮像データの送信を望んでいるか否か、撮像データが所望の品質を満たしているか否かなどの基準である。
【００８０】
ステップ５４において、撮像機器１００は、ステップ４４で撮像データを送信すると判定された場合には、撮像データを携帯端末２００に送信する。一方で、撮像機器１００は、ステップ４４で撮像データを送信しないと判定された場合には、撮像データのログ情報を携帯端末２００に送信する。
【００８１】
なお、ログ情報とは、撮像データのサムネイルであってもよく、被写体が撮像されたことを通知する情報（例えば、撮像日時など）であってもよい。
【００８２】
（作用及び効果）
本発明の第４実施形態に係る通信システムによれば、撮像機器１００が、撮像データを送信しないと判定した場合に撮像データを送信しないため、撮像データが無駄に送信されることを抑制することができる。例えば、撮像データが無駄に送信されるケースとして、撮像データの品質が悪く、撮像データを受け取っても意味がないケースや携帯端末２００のユーザが撮像データを望んでいないケースなどが考えられる。
【００８３】
一方で、撮像機器１００が、撮像データを送信しないと判定した場合にログ情報を送信するため、携帯端末２００のユーザが知らないうちに撮像された場合であっても、携帯端末２００のユーザが撮像されていたことをログ情報によって通知することができる。
【００８４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８５】
例えば、撮像機器１００の制御部１７０は、携帯端末２００が正当であるか否かを認証する機能を有していていもよい。具体的には、撮像機器１００の制御部１７０は、公開鍵暗号化方式や認証サーバを利用して、携帯端末２００が正当であるか否かを認証する。
【００８６】
この場合において、撮像機器１００の制御部１７０は、携帯端末２００が正当であると認証されてから、撮像機器１００と携帯端末２００との距離が所定距離以上離れた場合に、携帯端末２００が正当であるか否かを再認証する必要があると判定する。撮像機器１００は、例えば、近距離無線通信によって信号を定期的に送受信することによって、信号の送受信ができなくなった場合に、撮像機器１００と携帯端末２００との距離が所定距離以上離れたと判定する。
【００８７】
また、撮像機器１００の制御部１７０は、携帯端末２００が正当であると認証されてから所定時間が経過した場合に、携帯端末２００が正当であるか否かを再認証する必要があると判定する。
【００８８】
すなわち、撮像機器１００の制御部１７０は、携帯端末２００が正当であると認証されてから撮像機器１００と携帯端末２００との距離が所定距離以内である場合や携帯端末２００が正当であると認証されてから所定時間が経過した場合には、携帯端末２００が正当であるか否かを再認証する必要がない。
【００８９】
また、携帯端末２００は、宛先情報要求に応じて宛先情報を送信する前に、宛先情報の送信を許可するか否かの判断を促す画像を表示してもよい。この場合において、携帯端末２００は、宛先情報の送信が許可された場合に、宛先情報を撮像機器１００に送信する。
【００９０】
上述した第１実施形態〜第４実施形態では、撮像機器１００は、カメラ部１３０によって被写体が撮像される前に宛先情報要求を送信するが、これに限定されるものではない。具体的には、撮像機器１００は、カメラ部１３０によって被写体が撮像された後に宛先情報要求を送信してもよい。
【００９１】
上述した第１実施形態〜第４実施形態で示した撮像機器１００の動作をコンピュータにおいて実行可能なプログラムを提供してもよい。
【図面の簡単な説明】
【００９２】
【図１】本発明の第１実施形態に係る通信システムの概略構成を示す図である。
【図２】本発明の第１実施形態に係る撮像機器１００の構成を示すブロック図である。
【図３】本発明の第１実施形態に係る携帯端末２００の構成を示すブロック図である。
【図４】本発明の第１実施形態に係る通信システムの動作を示すシーケンス図である。
【図５】本発明の第２実施形態に係る撮像機器１００の構成を示すブロック図である。
【図６】本発明の第２実施形態に係る通信システムの動作を示すシーケンス図である。
【図７】本発明の第３実施形態に係る撮像モードの一例を示す図である。
【図８】本発明の第３実施形態に係る通信システムの動作を示すシーケンス図である。
【図９】本発明の第４実施形態に係る通信システムの動作を示すシーケンス図である。
【符号の説明】
【００９３】
１００・・・撮像機器、１１０・・・アンテナ、１２０・・・無線Ｉ／Ｆ、１３０・・・カメラ部、１４０・・・表示部、１５０・・・記憶部、１６０・・・入力Ｉ／Ｆ、１７０・・・制御部、１８０・・・指向性制御部、２００・・・携帯端末、２１０・・・アンテナ、２２０・・・無線Ｉ／Ｆ、２３０・・・表示部、２４０・・・記憶部、２５０・・・入力Ｉ／Ｆ、２６０・・・制御部２６０
【図１】
2008060948.tif 000003
【図２】
2008060948.tif 000004
【図３】
2008060948.tif 000005
【図４】
2008060948.tif 000006
【図５】
2008060948.tif 000007
【図６】
2008060948.tif 000008
【図７】
2008060948.tif 000009
【図８】
2008060948.tif 000010
【図９】
2008060948.tif 000011